(57)【要約】【課題】  通常の使用時と同じ操作を可能にしつつ、収納されている記録媒体が簡単に取り外されてしまうことを防止することができる携帯電話機を提供する。【解決手段】  本携帯電話機は、筐体１１０と収納部１３１、１３２と蓋部１５１、１５２と樹脂フィルム１６０とを備える。筺体１１０は、移動体通信ネットワークを介して無線通信を行う無線通信部が格納されている。収納部１３１、１３２は、略板状の形状を有する記録媒体１２１、１２２を収納するように筐体の内部に設けられ、記録媒体を筐体の外部から受け入れるための受入口１４１、１４２を有する。蓋部１５１、１５２は、上記受入口から受け入れられ収納部に収納された記録媒体を覆うように筐体に設けられている。樹脂フィルム１６０は、加熱されて熱収縮し、蓋部の少なくとも一部と筐体の外壁面の少なくとも一部とに密着することにより、筺体に向かう力を蓋部に付与するものである。【選択図】  図１
2006217001.tif 000002
【特許請求の範囲】
【請求項１】
移動体通信ネットワークを介して無線通信を行う無線通信部が格納された筐体と、
略板状の形状を有する記録媒体を収納するように該筐体の内部に設けられ、該記録媒体を該筐体の外部から受け入れるための受入口を有する収納部と、
該受入口から受け入れられ該収納部に収納された記録媒体を覆うように該筐体に設けられた蓋部と、
加熱されて熱収縮し、該蓋部の少なくとも一部と該筐体の外壁面の少なくとも一部とに密着することにより、該筺体に向かう力を該蓋部に付与する樹脂フィルムとを備えたことを特徴とする携帯電話機。
【発明の詳細な説明】
【技術分野】
【０００１】
本発明は、記録媒体を収納可能な携帯電話機に関するものである。
【背景技術】
【０００２】
現在販売されている携帯電話機の多くは、記録媒体としてのＳＤカード（登録商標）等のメモリーカードを着脱可能に収納できるように構成され、撮影した画像や着信メロディなどのデータをこの記録媒体に保存することができる（例えば特許文献１参照）。
一方、第三世代の携帯電話機は、利用者を特定する利用者情報が書き込まれた記録媒体としてのＳＩＭ（Subscriber Identity Module）カードを、着脱可能に収納できるように構成され、収納されたＳＩＭカードに書き込まれている利用者情報に基づいて利用者を特定し、特定された利用者の名義で移動体通信を行うことができる（例えば特許文献２参照）。
【特許文献１】特開２００２−１７１２５１号公報
【特許文献２】特開２００２−１３５４０７号公報
【発明の開示】
【発明が解決しようとする課題】
【０００３】
携帯電話機を販売する販売店は、販売しようとする携帯電話機の魅力を来店した客に伝えるために、上記メモリーカードやＳＩＭカード等の記録媒体を収納することにより電話の発呼操作を含む通常の使用時と同じ操作が可能な状態となった携帯電話機を、店頭に陳列することがある。これにより、来店した客は、陳列された携帯電話機の機能や性能などを深く理解することができる。しかしながら、一方で、陳列された携帯電話機に収納されている記録媒体が取り外されて紛失するおそれがある。
【０００４】
本発明は以上の問題点に鑑みなされたものであり、その目的は、通常の使用時と同じ操作を可能にしつつ、収納されている記録媒体が簡単に取り外されてしまうことを防止することができる携帯電話機を提供することである。
【課題を解決するための手段】
【０００５】
上記目的を達成するために、本発明は、携帯電話機において、移動体通信ネットワークを介して無線通信を行う無線通信部が格納された筐体と、略板状の形状を有する記録媒体を収納するように該筐体の内部に設けられ、該記録媒体を該筐体の外部から受け入れるための受入口を有する収納部と、該受入口から受け入れられ該収納部に収納された記録媒体を覆うように該筐体に設けられた蓋部と、加熱されて熱収縮し、該蓋部の少なくとも一部と該筐体の外壁面の少なくとも一部とに密着することにより、該筺体に向かう力を該蓋部に付与する樹脂フィルムとを備えたことを特徴とするものである。
なお、上記樹脂フィルムは、携帯電話機の外壁面を視認できる程度に透明又は半透明であるのが好ましい。この場合は、操作部や表示部等のユーザインターフェース部がある筐体の表面を樹脂フィルムを通して視認しやすくなるため操作性が向上する。また、携帯電話機の外観が大きく損なわれることがない。
【発明の効果】
【０００６】
本発明によれば、受入口から受け入れられ収納部に収納された記録媒体を覆うように蓋部が筐体に設けられている。この蓋部の少なくとも一部と筐体の外壁面の少なくとも一部とに密着するように加熱されて熱収縮した樹脂フィルムが設けられている。この樹脂フィルムにより、筐体の内部側に向かう力を蓋部に付与しているため、蓋が簡単に開けられないようにすることができる。よって、収納部に収納されている記録媒体が簡単に取り外されてしまうことを防止することができる。しかも、上記蓋に力を付与しているシールド部を構成する樹脂フィルムは柔軟性を有するため、この樹脂フィルムの内側に操作部や表示部等のユーザインターフェース部があったとしても樹脂フィルムの上から操作したり表示を確認したりすることができるので、通常の使用時と同じ操作ができるという効果がある。
【発明を実施するための最良の形態】
【０００７】
以下、本発明の実施形態を図面を参照しながら説明する。
図１は本実施形態に係る携帯電話機１０の斜視図である。図２は図１のＡ−Ａで切断して矢印方向から見た携帯電話機１０の内部の概略構成を示す断面図である。この携帯電話機１０の筺体１１０は、第１筐体１１１と第２筐体１１２とを有する二つ折りタイプである。この筐体１１０には、移動体通信ネットワークを介して無線通信を行う無線通信部等が格納されている。この筐体１１０のうち、第１筐体１１１の表面部分には表示部としての液晶ディスプレイ１０１が設けられ、第２筐体１１２の表面部分には各種キーで構成された操作部１０２が設けられている。
【０００８】
上記第２筐体１１２の部分には、略板状の形状を有する記録媒体としてのＵＳＩＭ（Universal Subscriber Identity Module）カード１２１及びメモリーカード１２２とをそれぞれ収納する収納部１３１、１３２が設けられている。各収納部１３１、１３２はそれぞれ対応するカード１２１、１２２を筐体の外部から受け入れるための受入口１４１、１４２を有している。なお、ＵＳＩＭカード１２１が収納されている収納部１３１にはバッテリーパッケージ１７０も収納される。また、第２筐体１１２の部分には、各受入口１４１、１４２から受け入れられ収納部１３１、１３２に収納されたカード１２１、１２２をそれぞれ覆うように、蓋部１５１、１５２が設けられている。
【０００９】
上記ＵＳＩＭカード１２１は、EEPROMメモリやマイクロコンピュータなどが組み込まれたＩＣカードであり、利用者の電話番号や契約している携帯電話事業者の情報などが記録されている。このＵＳＩＭカード１２１を携帯電話機１０に装着することにより、その携帯電話機１０をＵＳＩＭカード１２１内に記録されている電話番号で利用することができる。また、上記メモリーカード１２２は、画像、音楽、アプリケーションプログラム等のデータを保存したり読み出したりすることができる記録媒体である。
【００１０】
また、本実施形態の携帯電話機１０の第２筐体１１２の部分にはシールド部１６０が設けられている。このシールド部１６０は、加熱されて熱収縮し、各蓋部１５１、１５２の少なくとも一部と第２筐体１１２の外壁面１１２ａの少なくとも一部とに密着することにより、各蓋部１５１、１５２に対して第２筺体１１２に向かう力を付与するように設けられた樹脂フィルムを用いて形成されている。この熱収縮性の樹脂フィルムとしては、例えば、ポリオレフィン、ポリフッ化ビニリデン等のフッ素系ポリマー、ポリ塩化ビニル等を主原料としたフィルムを用いることができる。
上記樹脂フィルムは、熱収縮した状態で、筐体の表面部分の操作部１０２を覆ったときに操作部１０２の操作が可能な程度の柔軟性を有するとともに、人間の手で簡単にはがすことができない程度の程度の強度を有するのが好ましい。また、上記樹脂フィルムは、筐体の表面部分の操作部１０２を覆ったときに操作部１０２を視認できる程度の透明性を有するのが好ましい。
【００１１】
図３は加熱して熱収縮させる前のシールド部１６０’を装着した様子を示す携帯電話機の断面図である。この図３に示すように、熱収縮前のチューブ状の樹脂フィルム１６０’を、携帯電話機１０の第２筺体１１２の所定位置、すなわち上記蓋部１５１、１５２の少なくとも一部と第２筐体１１２の外壁面１１２ａの少なくとも一部とを覆う位置に装着する。そして、上記シールド部１６０’を熱収縮を起こす所定の温度まで加熱し、図２に示すようにシールド部１６０を、上記蓋部１５１、１５２の少なくとも一部と第２筐体１１２の外壁面１１２ａの少なくとも一部とに密着させる。これにより、各蓋部１５１、１５２に対して第２筺体１１２に向かう力を付与する。
【００１２】
以上、本実施形態によれば、上記シールド部１６０により、蓋部１５１、１５２に対して筐体の内部側に向かう力を付与しているため、蓋１５１、１５２が簡単に開けられないようにすることができる。よって、上記収納部１３１、１３２に収納されているＵＳＩＭカード１２１やメモリーカード１２２が簡単に取り外されてしまうことを防止することができる。しかも、上記蓋１５１、１５２に力を付与しているシールド部１６０を構成する樹脂フィルムは柔軟性を有するため、このシールド部１６０の内側に操作部１０２等のユーザインターフェース部があったとしてもシールド部１６０の上から操作したり表示を確認したりすることができるので、通常の使用時と同じ操作ができる。
【００１３】
図４は、他の実施形態に係る携帯電話機２０の正面図である。図４において、図１と同様な部分については同じ符号を付している。この携帯電話機２０の筺体１１０はストレートタイプの形状をしている。このストレートタイプの携帯電話機２０においても、上記図１の携帯電話機の場合と同様に、筐体１１０の外壁面上に熱収縮性の樹脂フィルムからなるシールド部１６０を設ける。このシールド部１６０は、加熱されて熱収縮し、蓋部１５１、１５２の少なくとも一部と筐体１１０の外壁面１１０ａの少なくとも一部とに密着することにより、筺体に向かう力を蓋部１５１、１５２に付与する樹脂フィルムを用いて形成されている。このストレートタイプの携帯電話機においても、上記シールド部１６０により、筐体の内部側に向かう力を蓋部１５１、１５２に付与しているため、蓋１５１、１５２が簡単に開けられないようにすることができる。よって、筐体１１０内の収納部に収納されているＵＳＩＭカード１２１やメモリーカード１２２が簡単に取り外されてしまうことを防止することができる。しかも、上記蓋１５１、１５２に力を付与しているシールド部１６０を構成する樹脂フィルムは柔軟性を有するため、このシールド部１６０の内側に操作部等のユーザインターフェース部があったとしてもシールド部１６０の上から操作したり表示を確認したりすることができるので、通常の使用時と同じ操作ができる。
【００１４】
なお、上記各実施形態に係る携帯電話機は、店頭に陳列された後に実際に商品として利用者に提供されることもある。上述したように、シールド部１６０として形成された樹脂フィルムは、人間の手のみを用いるだけでは容易にはがすことができない程度の強度を有しているが、筐体１１０等に何ら損傷を与えることなく、はさみやカッター等を用いて切断して筐体１１０から容易に取り外すことができるものである。よって、上記各実施形態に係る携帯電話機は、筐体１１０等に何ら損傷を受けることなくシールド部１６０が除去されることにより、実際の商品として利用者に提供されうる。
【００１５】
また、シールド部１６０として形成された樹脂フィルムには、例えば油性ペン等により文字や図形等を書き込むことが可能である。よって、販売店は、携帯電話機１０の筐体１１０に設けられたシールド部１６０のうち操作部１２０に正に対応する位置に、この操作部１２０を用いた操作方法等を書き込むことにより、この携帯電話機１０に接した客に対して、この携帯電話機１０の魅力（使用方法等）を直接的に伝えることができる。なお、シールド部１６０への書き込みは、筐体１１０等に何ら損傷を与えることなく、容易に実行できることはいうまでもない。
【００１６】
さらには、通常、携帯電話機本体の紛失を防止するために、携帯電話機本体に接着剤を用いてＩＣタグ（ＩＣチップ）を取り付ける手法が採られるが、この手法を用いた場合には、携帯電話機本体に接着剤が付着するという問題がある。しかしながら、上記各実施の形態を用いた場合には、携帯電話機１０本体にではなくシールド部１６０に対して、接着剤を用いてＩＣタグを取り付けることにより、携帯電話機１０本体に接着剤を付着させることなく、すなわち、後々商品として利用者に提供される可能性のある携帯電話機１０本体を汚すことなく、携帯電話機１０本体の紛失をも防止することができる。
【図面の簡単な説明】
【００１７】
【図１】本発明の実施形態に係る携帯電話機の斜視図。
【図２】同携帯電話機の内部の概略構成を示す断面図。
【図３】熱収縮前のシールド部を装着した様子を示す携帯電話機の断面図。
【図４】他の実施形態に係る携帯電話機の正面図。
【符号の説明】
【００１８】
１０    携帯電話機
１０１  表示部（液晶ディスプレイ）
１０２  操作部
１１０  筐体
１１１  第１筐体
１１２  第２筐体
１２１  ＵＳＩＭカード
１２２  メモリーカード
１３１，１３２  収納部
１４１，１４２  受入口
１５１，１５２  蓋部
１６０  シールド部（樹脂フィルム）
１６０’  熱収縮前のシールド部（樹脂フィルム）
【図１】
2006217001.tif 000003
【図２】
2006217001.tif 000004
【図３】
2006217001.tif 000005
【図４】
2006217001.tif 000006